(57)【要約】【課題】小売店の特売品等が販売フロアのどこに置かれているかが容易に分かる紙媒体の広告チラシを提供する。【解決手段】販売商品の中から選択された特定商品について、各特定商品の情報を個別に表示した複数の商品広告ブロックＢ１〜Ｂ１６が設定される。商品広告ブロックＢ１〜Ｂ１６が販売フロア１２の商品陳列レイアウトに合わせて配置されることによって、各特定商品が販売フロア１２のどの場所に置かれているかが視覚的に認識可能である。特定商品の商品広告ブロックブロックＢ１〜Ｂ１６を、商品陳列レイアウトに合わせて配置した領域と、特定商品の商品広告を強調した領域を、各々表示するものである。【選択図】図１
0003222014.tif 000002
【実用新案登録請求の範囲】
【請求項１】
小売店の販売商品を宣伝するための紙媒体で成る広告チラシにおいて、
販売商品の中から選択された特定商品について、前記特定商品の情報を個別に表示した複数の商品広告ブロックが設定され、
複数の前記商品広告ブロックが販売フロアの商品陳列レイアウトに合わせて配置されることによって、前記各特定商品が販売フロアのどの場所に置かれているかが視覚的に認識できることを特徴とする広告チラシ。
【請求項２】
互いに隣り合う前記商品広告ブロック同士の間隔の広い狭いによって、販売フロアの通路のレイアウトが視覚的に認識できる請求項１記載の広告チラシ。
【請求項３】
前記特定商品の前記商品広告ブロックが前記商品陳列レイアウトに合わせて配置された領域と、前記特定商品の商品広告を強調した領域と分けて、各々表示して成る請求項１又は２記載の広告チラシ。
【考案の詳細な説明】
【技術分野】
【０００１】
本考案は、新聞の折り込みチラシ等の紙媒体で成る広告チラシに関し、特に小売店の販売促進用の広告チラシに関する。
【背景技術】
【０００２】
スーパーマーケットやホームセンター等の小売店は、消費者の来店を促すため、価格を安く抑えた特売品等の情報を新聞の折り込みチラシ等で宣伝することを行っている。この種の広告チラシは、特売品の名称と価格等の情報を個別に表示した複数の商品広告ブロックが設定され、特に消費者の興味を引きたい商品広告ブロックが紙面の上段の目立つ箇所に配置され、それ以外の商品広告ブロックを紙面の中段から下段に適宜配置されるケースが多い。したがって、消費者が広告チラシを見て小売店に買い物に行ったとしても、その小売店があまり利用しないお店だった場合、目当ての特売品等が販売フロアのどこに置かれているかが分からず、捜し当てるのに苦労することがある。
【０００３】
この問題に関連した技術として、例えば特許文献１に、電子的に配信された小売店の広告チラシに掲載された特売品等が、店舗内のどこに置かれているかを簡単な操作で知得できる商品情報提供装置が開示されている。この商品情報提供装置は、スマートフォン等の携帯端末や、店舗の入り口の近くに設置されたキオスク端末により構成され、特売品等が販売フロアのどこに置かれているかを画面表示する機能を備えている。消費者は、この装置を操作することによって、あまり利用していない小売店でも、目当ての特売品が店舗内のどこに置かれているかが容易に分かり、短時間で買い物を済ますことができる。
【先行技術文献】
【特許文献】
【０００４】
【特許文献１】特開２０１３−１２５４４６号公報
【考案の概要】
【考案が解決しようとする課題】
【０００５】
特許文献１の商品情報提供装置は、電子的に配信された広告チラシだけを対象にした装置であり、コンピュータ機器の操作に不慣れなお年寄りや、買い物を頼まれた小さい子供には使いにくいものである。したがって、多くの消費者が利用する新聞の折り込みチラシ等の広告チラシを対象に対応した解決策が求められている。
【０００６】
本考案は、上記背景技術に鑑みて成されたものであり、小売店の特売品等が販売フロアのどこに置かれているかが容易に分かる紙媒体の広告チラシを提供することを目的とする。
【課題を解決するための手段】
【０００７】
本考案は、小売店の販売商品を宣伝するための紙媒体で成る広告チラシであって、販売商品の中から選択された特定商品について、前記特定商品の情報を個別に表示した複数の商品広告ブロックが設定され、複数の前記商品広告ブロックが販売フロアの商品陳列レイアウトに合わせて配置されることによって、前記各特定商品が販売フロアのどの場所に置かれているかが視覚的に認識できる広告チラシである。
【０００８】
また、互いに隣り合う前記商品広告ブロック同士の間隔の広い狭いによって、販売フロアの通路のレイアウトが視覚的に認識できる構成にすることが好ましい。その他、前記特定商品の前記商品広告ブロックが前記商品陳列レイアウトに合わせて配置された領域と、前記特定商品の商品広告を強調した領域とを分けて、各々表示して成る広告チラシでも良い。
【考案の効果】
【０００９】
本考案の広告チラシは、特売品等の特定商品の情報が販売フロアの商品陳列レイアウトに合わせて配置されているので、これを見た消費者は、目当ての特定商品が販売フロアのどこに置かれているかを容易に把握することができる。したがって、あまり利用していない小売店に買い物に行った場合でも、販売フロアを無駄に捜し回ることなく、短時間で買い物を済ますことができる。さらに、小売店は、特売品等の特定商品を消費者に見つけやすくすることができるとともに、その近くに配置した通常価格の同種の商品も消費者に選択させることができ、幅広い選択肢を効率的に消費者に提供することができる。
【図面の簡単な説明】
【００１０】
【図１】本考案の広告チラシの一実施形態を示す平面図（ａ）、広告主である小売店の販売フロアのレイアウト図（ｂ）である。
【考案を実施するための形態】
【００１１】
以下、本考案の広告チラシの一実施形態について、図面に基づいて説明する。この実施形態の広告チラシ１０は、図１に示すように、新聞の折り込みチラシ等の紙媒体で成り、スーパーマーケット等の販売促進用の広告チラシである。
【００１２】
まず、広告主である小売店の販売フロア１２のレイアウトを簡単に説明する。この販売フロア１２は１０個の陳列エリアを有し、図１（ｂ）に示すように、入り口Ｅを入って通路Ｗを右向きに進むと、菓子類エリアＡ１及び果物類エリアＡ２があり、左方に折れると、冷蔵食品エリアＡ３、野菜類エリアＡ４、冷凍食品エリアＡ５及び肉類エリアＡ６がある。そして、左方に折れると魚類エリアＡ７があり、さらに左方に折れると、調味料エリアＡ８、日用雑貨エリアＡ９及び惣菜エリアＡ１０がある。そして、惣菜エリアＡ１０の前のレジＲ１，Ｒ２で支払いを済ませると、入り口Ｅに戻る。
【００１３】
広告チラシ１０は、販売フロア１２に陳列される全ての販売商品の中から選択された特定商品（価格を安く抑えた特売品等）を宣伝するものである。図１（ａ）に示すように、広告チラシ１０には、１６個の特定商品の情報（商品の名称、価格等）を個別に表示した商品広告ブロックＢ１〜Ｂ１６が設けられている。例えば、商品広告ブロックＢ８は、肉類エリアＡ６に陳列される特定商品についての「牛肩ロース、○○円」という情報を表示し、商品広告ブロックＢ１５は、日用雑貨エリアＡ９に陳列される特定商品についての「ティッシュ、○○円」という情報を表示している。
【００１４】
商品広告ブロックＢ１〜Ｂ１６は、販売フロア１２の商品陳列レイアウトに合わせて配置されている。つまり、チラシ広告１０の紙面を販売フロア１２のレイアウトに重ねたとすると、商品広告ブロックＢ１〜Ｂ１６は、各特定商品の陳列エリアの位置又はその近傍に配置される。したがって、この広告チラシ１０を見れば、各特定商品が販売フロアのどの場所に置かれているかが視覚的に認識することができる。
【００１５】
また、商品広告ブロックＢ１〜Ｂ１６は、互いに隣り合う商品広告ブロック同士の間隔の広い狭いによって、店舗内の通路Ｗが視覚的に認識できるように配置されているので、消費者は、目当ての特定商品の陳列場所により簡単に行き着くことができる。例えば、図１（ａ）に示すように、通路Ｗの進み方を矢印で表示すればより親切である。
【００１６】
以上説明したように、広告チラシ１０は、特売品等の特定商品の情報が販売フロア１２の商品陳列レイアウトに合わせて配置されているので、これを見た消費者は、目当ての特定商品が販売フロア１２のどこに置かれているかを容易に把握することができる。しかも、通路Ｗの配置も合わせて把握することができる。したがって、あまり利用していない小売店に買い物に行った場合でも、販売フロアを無駄に捜し回ることなく、短時間で買い物を済ますことができる。さらに、小売店は、特売品等の特定商品を消費者に見つけやすくすることができるとともに、その近くにある通常価格で利益率の大きい同種の商品も消費者に選択させることができ、小売店にとって利幅の大きい商品に消費者を容易に誘導することができる。また、消費者に対しても、幅広い選択肢を効率良く提供することができる。
【００１７】
なお、本考案は、上記実施形態に限定されるものではない。例えば、商品広告ブロックに表示する情報は、その特定商品の名称や価格以外に、その特定商品の特徴（産地、品質、効能等）をアピールする文言でもよいし、消費者の注意を引くための絵柄等でもよい。
【００１８】
特定商品の商品広告ブロックの配置は、各特定商品が店舗フロアのどの場所に置かれているかが視覚的に認識可能なものであればよく、販売フロアの商品陳列レイアウトに厳密に一致している必要はない。例えば、図１（ａ）の中の「生ガキ、○○円」の商品広告ブロックＢ１４のように、特別な目玉商品であることを強調するため、陳列される魚類エリアＡ７から少しずれた位置に、他の商品広告ブロックよりも拡大して目立つように表示してもよい。
【００１９】
また、広告チラシの紙面の中に、上記のように特定商品の商品広告ブロックを商品陳列レイアウトに合わせて配置して表示する第１の領域と、その他の広告を商品陳列レイアウトに関係なく表示する第２の領域とを設けてもよい。この場合、２つの領域は、同一紙面上に設けてもよいし、表面と裏面に分けてもよい。さらに、第２の領域の表示内容は特に限定されず、第２の領域の表示内容として、その他の広告にとともに、又は換えて特定商品の商品広告を強調した内容（より詳しく説明した内容）にしても良い。
【００２０】
その他、宣伝対象の小売店は、物品等を店頭販売する商店であればよく、食料品等を販売するスーパーマーケットの他、ホームセンター、洋服店、スポーツ用品店、雑貨店、デパート等でもよい。
【符号の説明】
【００２１】
１０  チラシ広告
１２  販売フロア
Ａ１〜Ａ１０  陳列エリア
Ｂ１〜Ｂ１６  商品広告ブロック
Ｅ  入り口
Ｗ  通路
Ｒ１，Ｒ２  レジ
【図１】
0003222014.tif 000003